(57)【要約】  【課題】  プリーツスクリーン等の窓用調光部材を昇降する装置であって、調光部材を直接上げ下げする手操作と引きコード操作の双方が行え、かつ体裁がよく、さらに調光部材を昇降する際に作業者にいたずらな負荷を与えないようにする。  【解決手段】  下降用操作コード６を巻回した下降コード用ドラム１４と、上昇用操作コード５を巻回した上昇コード用ドラム１３とを、ばね巻き取り用ドラム１０と同軸上に配設する。ばね巻き取り用ドラム１０と上昇コード用ドラム１３と下降コード用ドラム１４との間にラチェット機構３３を介装する。操作コード５，６のいずれか一方を牽引した場合に、ラチェット機構３３が上昇コード用ドラム１３と下降コード用ドラム１４とのいずれかをばね巻き取り用ドラム１０に選択的に係合させ、ばね巻き取り用ドラム１０と一体に回転させる。【選択図】  図１
2008013950.tif 000002
【特許請求の範囲】
【請求項１】
ローマンシェードやプリーツスクリーン等の窓用調光部材を昇降自在に吊持するヘッドボックスに、一対のばね巻き取り用ドラム間に板ばねを巻き掛けした定荷重ばね機構を配設し、
前記調光部材に定荷重ばね機構の板ばねのばね力を作用させて、調光部材を任意の開き位置や閉じ位置に保持するようにした窓用調光部材昇降装置において、
前記調光部材の下降用操作コードを巻回した下降コード用ドラムと、同じく調光部材の上昇用操作コードを巻回した上昇コード用ドラムとを、前記一対のばね巻き取り用ドラムのいずれか一方と同軸上に配設し、
該一方のばね巻き取り用ドラムと上昇コード用ドラムと下降コード用ドラムとの間に、前記上昇用操作コードと下降用操作コードのいずれか一方の牽引により、上昇コード用ドラムと下降コード用ドラムとが一方のばね巻き取り用ドラムと選択的に係合して、上昇コード用ドラムまたは下降コード用ドラムを一方のばね巻き取り用ドラムと一体に回転させるラチェット機構を介装した
ことを特徴とする窓用調光部材昇降装置。
【請求項２】
前記一方のばね巻き取り用ドラムに伴う前記上昇コード用ドラムと下降コード用ドラムの回転が互いに反対方向である
ことを特徴とする請求項１に記載の窓用調光部材昇降装置。
【請求項３】
前記上昇コード用ドラムと下降コード用ドラムのそれぞれに、前記上昇用操作コードまたは下降用操作コードを所定ストローク牽引したのちこれを解放した際に、該上昇用操作コードまたは下降用操作コードを牽引ストロークと同等分を前記上昇コード用ドラムまたは下降コード用ドラムに巻き戻す巻き戻し手段が連結されている
ことを特徴とする請求項１または２に記載の窓用調光部材昇降装置。
【請求項４】
前記調光部材が最下限に位置したのち、さらに前記下降用操作コードが引き操作された場合に、前記下降ドラムの回転を阻止するストッパ機構を設けた
ことを特徴とする請求項１〜３のいずれかに記載の窓用調光部材昇降装置。 
【発明の詳細な説明】
【技術分野】
【０００１】
本発明は、ローマンシェードやプリーツスクリーン，ロールスクリーン，ブラインド等の窓用の調光部材を昇降させ、かつ調光部材を任意の開き位置や閉じ位置に保持する機能を併せ持つ窓用調光部材昇降装置に関する。
【背景技術】
【０００２】
建屋の窓の室内側に調光を目的に用いられるローマンシェードやプリーツスクリーン等の調光部材を昇降させる窓用調光部材昇降装置にあっては、定荷重ばね機構を用いて調光部材を任意の開き位置や閉じ位置に保持するようにしたものが知られている（例えば、特許文献１または２参照）。
【０００３】
このうち、特許文献１では、ヘッドボックスに突設した一対の枢軸に第１プーリと第２プーリを軸支し、該第１プーリと第２プーリのそれぞれに上部側のリング状コード溝と下部側のリング状溝とを設け、該上部側リング状コード溝には、終端部が互いに分離されて調光部材を介してボトムレールに固定される双コード線からなる連結コードを、また下部側のリング状溝には、第１ばね部と第２ばね部を有するＳ字形状のばね部材を配設した構成となっている。
また特許文献２では、調光部材の上昇を行う作動軸に定荷重ばね機構を装着し、該作動軸もしくはこの作動軸にベベルギアを介して連結された駆動軸にチェーンホイールを固着し、該チェーンホイールにエンドレスチェーンを巻き掛けた構成となっている。
【０００４】
特許文献１，２では、調光部材と定荷重ばね機構の板ばねのばね力とをバランスさせ、調光部材の下端に付設されたボトムレールを手で下降もしくは押し上げる手操作によって、調光部材を任意の開き位置に保持できるようにしており、さらに特許文献２では、調光部材を手で直接把持する操作以外に、作動軸や駆動軸から吊り下げられたチェーンによっても操作できるようにしている。
【特許文献１】特開２００５−２２６２２６号公報
【特許文献２】特開昭５４−３８６４８号公報
【発明の開示】
【発明が解決しようとする課題】
【０００５】
しかしながら、建屋の窓が仮に掃き出し窓や腰窓等で平易な高さにあっても、年配者や小児にはこれらの窓に付設の調光部材に手が届かないことがあり、さらに高窓や天窓にあっては、通常家人には手の届かない高さにあるため、特許文献１の窓用調光部材昇降装置は使用することができない。
これに対して、特許文献２の窓用調光部材昇降装置では、窓の取り付け高さにかかわらずチェーンを手の届く高さまで延長することによって調光部材を昇降させることは可能であるが、特許文献２の技術では、定荷重ばね機構や作動軸，駆動軸，チェーンホイール，エンドレスチェーンといった部材が直結関係にあって、調光部材のボトムレールを手で直接下降または押し上げた場合にもエンドレスチェーンが連動して回転してしまうため、体裁を著しく損なうばかりか、ボトムレールを操作する作業者に高負荷を与えることとなり、好ましくない。
【０００６】
本発明はかかる実情を背景にしてなされたもので、その目的とするところは、調光部材を手で直接上げ下げする手操作と引きコード操作の双方が行え、かつ体裁がよくしかも作業者への負担がない窓用調光部材昇降装置を提供することにある。
【課題を解決するための手段】
【０００７】
上述の目的にしたがって、請求項１の発明は、プリーツスクリーン等の窓用調光部材を昇降自在に吊持するヘッドボックスに、一対のばね巻き取り用ドラム間に板ばねを巻き掛けした定荷重ばね機構を配設し、前記調光部材に定荷重ばね機構の板ばねのばね力を作用させて、調光部材を任意の開き位置や閉じ位置に保持するようにした窓用調光部材昇降装置において、前記調光部材の下降用操作コードを巻回した下降コード用ドラムと、同じく調光部材の上昇用操作コードを巻回した上昇コード用ドラムとを、前記一対のばね巻き取り用ドラムのいずれか一方と同軸上に配設し、該一方のばね巻き取り用ドラムと上昇コード用ドラムと下降コード用ドラムとの間に、前記上昇用操作コードと下降用操作コードのいずれか一方の牽引により、上昇コード用ドラムと下降コード用ドラムとが一方のばね巻き取り用ドラムと選択的に係合して、上昇コード用ドラムまたは下降コード用ドラムを一方のばね巻き取り用ドラムと一体に回転させるラチェット機構を介装したことを特徴としている。
【０００８】
上昇コード用ドラムと下降コード用ドラムは、通常一方のばね巻き取り用ドラムと非係合状態にあり、調光部材下端のボトムレールを手操作で直接上げ下げする際には一方のばね巻き取り用ドラムと連動しない。したがって、手操作する作業者に余計な負荷を与えないので作業性にも優れる。また、上昇用操作コードと下降用操作コードのいずれか一方を牽引すると、当該操作コードにつながる上昇コード用ドラムと下降コード用ドラムのいずれかがラチェット機構を介して一方のばね巻き取り用ドラムと係合し、当該ドラムが一方のばね巻き取り用ドラムと連動して調光部材を上昇または下降する。
【０００９】
請求項２の発明は、前記請求項１の発明において、一方のばね巻き取り用ドラムに伴う上昇コード用ドラムと下降コード用ドラムの回転を互いに反対方向に設定したことを特徴としている。
本発明では、一方のばね巻き取り用ドラムと上昇または下降コード用ドラムとの係脱に一方向歯であるラチェットを用いて切り替えるため、一方のばね巻き取り用ドラムと連動する上昇コード用ドラムと下降コード用ドラムの回転は互いに逆方向となる。
【００１０】
請求項３の発明は、前記請求項１または２の発明において、前記上昇コード用ドラムと下降コード用ドラムのそれぞれに、前記上昇用操作コードまたは下降用操作コードを所定ストローク牽引したのちこれを解放した際に、該上昇用操作コードまたは下降用操作コードを牽引ストロークと同等分を前記上昇コード用ドラムまたは下降コード用ドラムに巻き戻す巻き戻し手段が連結されていことを特徴としている。
本発明の巻き戻し手段には、コイルスプリングや渦巻きばね等の伸縮部材が用いられ、ヘッドボックスと上昇コード用ドラムとの間、及びヘッドボックスと下降コード用ドラムとの間にそれぞれ張設される。
【００１１】
これらの巻き戻し手段は、上昇用操作コードと下降用操作コードのいずれか一方を所定ストローク牽引し、上昇コード用ドラムと下降コード用ドラムのいずれかが一方のばね巻き取り用ドラムと連動して調光部材を上昇または下降た場合に、上昇コード用ドラムと下降コード用ドラムのうちの作動した側につながれた一方が牽引ストローク分を伸張する。そして、牽引した操作コードを解放すると、伸張した巻き戻し手段が縮小して無負荷状態に復帰し、該巻き戻し手段につながる上昇コード用ドラムと下降コード用ドラムのいずれかを作動とは逆方向へ回転させ、これにより牽引した操作コードが牽引ストロークと同等分を上方へ巻き上げられ、非牽引状態に復帰する。
【００１２】
請求項４の発明は、前記請求項１〜３のいずれかの発明において、下降ドラムに、調光部材が最下限に位置したのち、さらに前記下降用操作コードが引き操作された場合に、前記下降ドラムの回転を阻止するストッパ機構を設けたことを特徴としている。
かかる構成によれば、調光部材が最下限に位置してから、さらに下降用操作コードが引き操作された場合には、ストッパ機構が下降ドラムの回転を阻止するので、調光部材に連結される吊り紐がヘッドボックスの内部でたるむことがない。この結果、安定した性能を長期間良好に発揮できる。
【発明の効果】
【００１３】
本発明にかかる窓用調光部材昇降装置によれば、調光部材下端のボトムレールを直接上げ下げする手操作と引きコード操作の双方が行え、かつラチェット装置の介装によって、調光部材を手で直接下降または押し上げた場合にも操作コードが連動しないので体裁がい。さらに、作業者が調光部材を昇降する際にいたずらな負荷を与えないから力のいらない楽な操作で済む。
また、一方のばね巻き取り用ドラムに伴う上昇コード用ドラムと下降コード用ドラムの回転を互いに反対方向に設定したことにより、部品点数を省略したコンパクトなラチェット装置を構成することができる。さらに、調光部材に連結される吊り紐を、一対のばね巻き取り用ドラムのいずれか一方と同軸に巻回することにより、ヘッドボックスを既存の大きさに抑えることが可能となる。
【００１４】
また、上昇コード用ドラムと下降コード用ドラムに、上昇用操作コードまたは下降用操作コードを所定ストローク牽引したのちこれを解放した際に、該上昇用操作コードまたは下降用操作コードを牽引ストロークと同等分を上昇コード用ドラムまたは下降コード用ドラムに巻き戻す巻き戻し手段を連結したことにより、コード操作が牽引と牽引を解除する操作の繰り返しとなるため、エンドレスタイプのものに較べるとそれぞれの操作コードが必要最小限の長さにすることができる。
さらに、下降ドラムに、下降ドラムの回転を阻止するストッパ機構を設けたことにより、下降用操作コードを必要以上に引き操作しても、ストッパ機構が下降ドラムの回転を阻止するので、吊り紐がヘッドボックスの内部でたるむことがないので、安定した昇降機能を長期間良好に発揮することができる。
【発明を実施するための最良の形態】
【００１５】
以下、本発明の窓用調光部材昇降装置をプリーツスクリーンに適用した一形態例を図面に基づいて説明する。
図中、図１はプリーツスクリーンを若干開いた状態の斜視図、図２はプリーツスクリーンの概略平面図、図３は図２のＩＩＩ−ＩＩＩ，ＩＩＩ−ＩＩＩ部分の拡大平面図、図４は同じく図２のＩＩＩ−ＩＩＩ，ＩＩＩ−ＩＩＩ部分の拡大断面平面図、図５は図３の断面正面図、図６は図２のＶＩ−ＶＩ，ＶＩ−ＶＩ部分の拡大平面図、図７は図５は図６の断面正面図、図８は図２のＶＩＩＩ−ＶＩＩＩ，ＶＩＩＩ−ＶＩＩＩ部分の拡大平面図、図９は図８の断面正面図、図１０の（ａ）はガイド溝とガイドピンの係合を示す概略図、図１０の（ｂ）はヘッドボックスの断面側面図、図１１の（ａ）はガイド溝とガイドピンの係合を示す概略図、図１１の（ｂ）はヘッドボックスの断面側面図、図１２はストッパ機構周辺の斜視図である。
【００１６】
各図に示すプリーツスクリーン１は、図示しない窓枠の屋内側上部に固着されるヘッドボックス２と、該ヘッドボックス２から昇降自在に吊持される蛇腹折りのスクリーン３と、該スクリーン３の下端に付設されるボトムレール４とを備えており、ヘッドボックス２の一端部側には、上昇専用の操作コード５と下降専用の操作コード６とが吊持されている。
スクリーン３とボトムレール４とは、これらを手で直接上げ下げする手操作のほか、上昇用操作コード５と下降用操作コード６とコード操作によっても昇降が可能であり、さらに後述する定荷重ばね機構７を用いてこれら４通りの操作のいずれによっても、スクリーン３を任意の開き位置に停止させることができるようになっている。
【００１７】
ヘッドボックス２の一端部側内部には、一対のばね巻き取り用ドラム１０，１１間に板ばね１２を巻き掛けした前述の定荷重ばね機構７が配設されており、一方のばね巻き取り用ドラム１０の両側部には、上昇コード用ドラム１３と下降コード用ドラム１４とが同軸上に配設されている。一方のばね巻き取り用ドラム１０の一側部には吊り紐用ドラム１０ａが一体に設けられ、該吊り紐用ドラム１０ａにスクリーン３を昇降する吊り紐１５が巻回されるとともに、吊り紐用ドラム１０ａのフランジ部外周に鋸歯１０ｂが刻設されている。
【００１８】
上昇コード用ドラム１３には、ヘッドボックス２の一端部側内部をガイドローラ１６ａ，１６ｂに案内される上昇用操作コード５が巻回され、また下降コード用ドラム１４には、同じくヘッドボックス２の一端部側内部をガイドローラ１７ａ，１７ｂに案内される下降用操作コード６が巻回されており、上昇用操作コード５が、上昇コード用ドラム１３にヘッドボックス２の上側から板ばね１２と同方向（図５において反時計方向）に巻回されるのに対し、下降用操作コード６は、下降コード用ドラム１４にヘッドボックス２の底板２ａ側から板ばね１２と反対方向（図５において時計方向）に巻回されている。
【００１９】
板ばね１２は、スクリーン３とボトムレール４の開き位置によってばね巻き取り用ドラム１０，１１への巻数が異なり、たとえば、スクリーン３とボトムレール４とをヘッドボックス２直下の最上位に上昇させた状態では、その大部分が他方のばね巻き取り用ドラム１１に巻き取られており、自身のばね力が図４において一方のばね巻き取り用ドラム１０を反時計方向へ回転させる力として作用させている。
【００２０】
吊り紐用ドラム１０ａからヘッドボックス２の中間部方向へ繰り出された吊り紐１５は途中で２本に分岐され、該２本の吊り紐１５ａ，１５ｂは、スクリーン３の昇降ストロークを稼ぐためにヘッドボックス２の上面一端部側から他端部側にかけて複数のガイドローラ１８ａ→ガイドローラ１８ｂ→ガイドローラ１８ｃ→ガイドローラ１８ｂと順次巻き掛けされたのち、一方の吊り紐１５ａが、ガイドローラ１８ｄからヘッドボックス２の底板２ａとスクリーンとを貫通してボトムレール４に連結され、また他方の吊り紐１５ｂが、ガイドローラ１８ｂからガイドローラ１８ｃ→ガイドローラ１８ｅを経て、ヘッドボックス２の底板２ａとスクリーンとを貫通してボトムレール４に連結されている。
これにより、手操作と操作コード５，６のいずれを用いた場合にも、一方のばね巻き取り用ドラム１０と吊り紐用ドラム１０ａとが一体に回転して吊り紐１５ａ，１５ｂを巻き上げまたは繰り出し、スクリーン３とボトムレール４とを一体に上昇または下降する。
【００２１】
ガイドローラ１８ａ，１８ｂの間には、底板２ａから３本のテンションピン２０ａ，２０ｂ，２０ｃを立設したテンショナ２０が配設され、これらテンションピン２０ａ〜２０ｃにヘッドボックス２を長手方向に往復配置した前述の吊り紐１５ａ，１５ｂを巻き掛けして該吊り紐１５ａ，１５ｂに所定の張力を付与しており、このような構成によって、スクリーン３及びボトムレール４の荷重と吊り紐１５ａ，１５ｂの張力とを、定荷重ばね機構７の板ばね１２のばね力にバランスさせ、スクリーン３とボトムレール４とを任意の開き位置に停止させることができるようにしている。
【００２２】
図４，図５は、手操作やコード５，６を牽引操作しない非作動状態を示しており、定荷重ばね機構７の板ばね１２は、その大部分が他方のばね巻き取り用ドラム１１に巻き取られており、スクリーン３とボトムレール４とをヘッドボックス２直下の最上位に上昇させた全閉状態となっている。
この状態において、ボトムレール４を手操作で下方向に牽引すると、定荷重ばね機構７の一方のばね巻き取り用ドラム１０が図５において反時計方向へ回転し、他方のばね巻き取り用ドラム１１が図５において時計方向へ回転して、板ばね１２が他方のばね巻き取り用ドラム１１から一方のばね巻き取り用ドラム１０へと巻き取られていく。
【００２３】
一方のばね巻き取り用ドラム１０に隣接する吊り紐用ドラム１０ａは、一方のばね巻き取り用ドラム１０と一体となって図５において反時計方向へ回転し、吊り紐用ドラム１０ａから吊り紐１５，１５ａ，１５ｂが繰り出されていき、スクリーン３とボトムレール４とが下降する。
定荷重ばね機構７の板ばね１２のばね力は、スクリーン３及びボトムレール４の荷重と吊り紐１５ａ，１５ｂの張力とにバランスすべく設定されているため、スクリーン３とボトムレール４とは、手操作による下方向への牽引をどの時点で解除しても、任意の開き位置で停止する。
【００２４】
また、スクリーン３が任意の開き位置にあるボトムレール４を手操作で上方向に押し上げると、吊り紐１５，１５ａ，１５ｂや定荷重ばね機構７が上述の下降とは逆の作動をして、スクリーン３とボトムレール４とが一体に上昇していき、手操作による押し上げをどの時点で解除しても、スクリーン３とボトムレール４は任意の位置で停止する。
【００２５】
上昇コード用ドラム１３のばね巻き取り用ドラム１０側には第１のコード戻し用ドラム１３ａが一体に設けられ、また下降コード用ドラム１４のばね巻き取り用ドラム１０側には第２のコード戻し用ドラム１４ａが一体に設けられており、第１コード戻し用ドラム１３ａには第１巻き戻し紐２１が巻回され、また第２コード戻し用ドラム１４ａには第２巻き戻し紐２２が巻回されている。
第１，第２巻き戻し紐２１，２２の一端部は、ヘッドボックス２の中間部近傍で折り返してガイドストッパ２３ａ，２３ｂの付近でビス２４ａ，２４ｂを用いてヘッドボックス２に固着され、さらに第１，第２巻き戻し紐２１，２２の折り返し部は、リターンスプリング２５，２６の一端部に設けたテンションローラ２５ａ，２６ａに巻き掛けされている。
【００２６】
リターンスプリング２５，２６は、本発明の巻き戻し手段に相当する伸縮部材で本形態例ではコイルスプリングが用いられている。リターンスプリング２５，２６の他端部は、ヘッドボックス２の他端部側に突設したフック２７ａ，２７ｂに係止されており、スクリーン３を昇降しない非作動状態にあっては、定荷重ばね機構７の板ばね１２から第１，第２巻き戻し紐２１，２２を通して作用するばね力によって適度な伸張状態に保持されている。
【００２７】
この構成により、上昇用操作コード５から上昇コード用ドラム１３と第１コード戻し用ドラム１３ａを経て、第１巻き戻し紐２１と一方のリターンスプリング２５までが一体に連結され、上昇用操作コード５を牽引すると、上昇コード用ドラム１３が図５において時計方向へ回転して上昇用操作コード５を繰り出し、上昇コード用ドラム１３と一体の第１コード戻し用ドラム１３ａも図５の時計方向へ回転して第１巻き戻し紐２１を巻き上げ、リターンスプリング２５を伸張させる。
また上昇用操作コード５の牽引を解除すると、リターンスプリング２５が縮小して第１巻き戻し紐２１を初期位置方向へ引き戻し、上昇コード用ドラム１３と第１コード戻し用ドラム１３ａとを図５の反時計方向へ一体に回転させ、上昇用操作コード５を上昇コード用ドラム１３に牽引量分巻き上げて牽引前の初期位置に復帰する。
【００２８】
一方、下降用操作コード６は、下降コード用ドラム１４と第２コード戻し用ドラム１４ａを経て第２巻き戻し紐２２と他方のリターンスプリング２６までが一体に連結され、下降用操作コード６を牽引すると、下降コード用ドラム１４が図５において反時計方向へ回転して下降用操作コード６を繰り出し、下降コード用ドラム１４と一体の第２コード戻し用ドラム１４ａも図５の反時計方向へ回転して第２巻き戻し紐２２を巻き上げ、リターンスプリング２５を伸張させる。
また下降用操作コード６の牽引を解除すると、リターンスプリング２６が縮小して第２巻き戻し紐２２を初期位置方向へ引き戻し、下降コード用ドラム１４と第２コード戻し用ドラム１４ａとを図５の時計方向へ一体に回転させ、下降用操作コード６を下降コード用ドラム１４に牽引量分巻き上げて牽引前の初期位置に復帰する。
なお、ガイドストッパ２３ａ，２３ｂは、リターンスプリング２５，２６の伸張規制を兼ねていて、リターンスプリング２５，２６の最大伸張量は、テンションローラ２５ａ，２６ａがリターンスプリング２５，２６のガイドストッパ２３ａ，２３ｂに当接した段階で規制されるようになっている。
【００２９】
このようにして、ヘッドボックス２の一端部側には、定荷重ばね機構７の一方のばね巻き取り用ドラム１０を中心に複数のドラムを配設したドラムユニット３０と、他方のばね巻き取り用ドラム１１を中心に複数のドラムを配設したドラムユニット３１とが構成される。なお、本形態例では、これらドラムユニット３０，３１に部品の共用化による利便性から共通した備品を用いているが、スクリーン３とボトムレール４の昇降に機能するの主として一方のドラムユニット３０側であり、他方のドラムユニット３１の構成部品は必ずしも共用する必要はない。
【００３０】
一方のドラムユニット３０の内部は中央を隔壁１０ｃで仕切られた中空孔３２となっており、この中空孔３２にラチェット機構３３が組み込まれている。このラチェット機構３３は、前記隔壁１０ｃの両側面に一方向歯として周設されるラチェット３４ａ，３４ｂと、隔壁１０ｃの両側で中空孔３２を軸方向へスライドするラチェットホルダ３５ａ，３５ｂと、該ラチェットホルダ３５ａ，３５ｂの隔壁１０ｃと反対側に収容されるフリクションローラ３６ａ，３６ｂ及びクラッチばね３７ａ，３７ｂとを備えるとともに、ラチェットホルダ３５ａ，３５ｂの隔壁１０ｃ側面には、隔壁１０ｃのラチェット３４ａ，３４ｂとは逆の一方向歯であるラチェット３８ａ，３８ｂが周設されている。
【００３１】
図１０（ａ），図１１（ａ）に示す通り、ラチェットホルダ３５ａ，３５ｂの外周面には、くの字状のガイド溝４０ａ，４０ｂが対称に配設され、一方第１，第２コード戻し用ドラム１３ａ，１４ａにはガイドピン４１ａ，４１ｂが突設されていて、該ガイドピン４１ａ，４１ｂをガイド溝４０ａ，４０ｂに遊挿しており、第１，第２コード戻し用ドラム１３ａ，１４ａのいずれかを回転させることによって、ラチェットホルダ３５ａ，３５ｂが中空孔３２を軸方向へスライドできるようにしている。
【００３２】
図４は、上昇用操作コード５や下降用操作コード６を操作しないラチェット機構３３の非作動状態を示しており、ガイドピン４１ａ，４１ｂはガイド溝４０ａ，４０ｂの周方向部分に位置し、ラチェットホルダ３５ａ，３５ｂが隔壁１０ｃと反対側に位置していて、隔壁１０ｃのラチェット３４ａ，３４ｂとラチェットホルダ３５ａ，３５ｂのラチェット３８ａ，３８ｂとは歯合しない。
【００３３】
ラチェット機構３３は、操作コード５，６のいずれかの牽引によって作動する。例えば、スクリーン３とボトムレール４が最下位の全開位置または中間の開き位置にあるとき、定荷重ばね機構７の板ばね１２はその殆どか大半が一方のばね巻き取り用ドラム１０に巻回されている。このような状態から上昇用操作コード５を牽引すると、上昇コード用ドラム１３と第１コード戻し用ドラム１３ａとが図５の時計方向へ一体に回転して、リターンスプリング２５を伸張させていく。
また、第１コード戻し用ドラム１３ａのガイドピン４１ａは、ガイド溝４０ａの周方向部分から傾斜方向部分に移動して、ラチェットホルダ３５ａを隔壁１０ｃ方向へスライドさせ、ラチェットホルダ３５ａと隔壁１０ｃのラチェット３８ａ，３４ａが歯合する。
【００３４】
この歯合により、定荷重ばね機構７の一方のばね巻き取り用ドラム１０と、これに隣接する吊り紐用ドラム１０ａとが図５において時計方向へ供回りし、吊り紐用ドラム１０ａに吊り紐１５，１５ａ，１５ｂが引き込まれて、スクリーン３とボトムレール４とが上昇する。
上昇用操作コード５の１回の牽引量は、最大でもリターンスプリング２５のガイドストッパ２３ａがガイドストッパ２３ａに当接するまでで、上昇用操作コード５の牽引を解除すると、上昇コード用ドラム１３と第１コード戻し用ドラム１３ａとが逆回転して、ガイドピン４１ａがガイド溝４０ａの周方向部分に移動し、ラチェットホルダ３５ａを隔壁１０ｃと反対方向へスライドさせて、ラチェット３８ａ，３４ａが歯合が解除される。この結果、定荷重ばね機構７は逆転せず、現状を維持する。
【００３５】
牽引を解除した上昇用操作コード５は、リターンスプリング２５の縮小によって、牽引前の初期位置に上昇復帰し、スクリーン３とボトムレール４は、上昇用操作コード５の牽引操作を繰り返すことにより、所望の閉じ位置へ上昇する。
【００３６】
また、スクリーン３とボトムレール４が最上位の全閉位置または中間の開き位置にあるとき、定荷重ばね機構７の板ばね１２はその殆どか大半が他方のばね巻き取り用ドラム１１に巻回されている。このような状態から下降用操作コード６を牽引すると、下降コード用ドラム１４と第２コード戻し用ドラム１４ａとが図５の反時計方向へ一体に回転して、リターンスプリング２６を伸張させていく。また、第２コード戻し用ドラム１４ａのガイドピン４１ｂは、ガイド溝４０ｂの周方向部分から傾斜方向部分に移動し、ラチェットホルダ３５ｂを隔壁１０ｃ方向へスライドさせて、ラチェットホルダ３５ｂと隔壁１０ｃのラチェット３８ｂ，３４ｂが歯合する。
【００３７】
この歯合により、定荷重ばね機構７の一方のばね巻き取り用ドラム１０と、これに隣接する吊り紐用ドラム１０ｂとが図５において反時計方向へ共周りし、吊り紐用ドラム１０ａから吊り紐１５，１５ａ，１５ｂが繰り出されて、スクリーン３とボトムレール４とが下降する。
下降用操作コード６の１回の牽引量は、上昇用操作コード５と同様ガイドストッパ２３ａに規制され、下降用操作コード６の牽引を解除すると、下降コード用ドラム１４と第２コード戻し用ドラム１４ａとが逆回転して、ガイドピン４１ｂがガイド溝４０ｂの周方向部分に移動し、ラチェットホルダ３５ｂを隔壁１０ｃと反対方向へスライドさせて、ラチェット３８ｂ，３４ｂの歯合が解除される。この結果、定荷重ばね機構７は逆転せず、現状を維持する。
【００３８】
牽引を解除した下降用操作コード６は、リターンスプリング２６の縮小によって、牽引前の初期位置に上昇復帰し、スクリーン３とボトムレール４は、下降用操作コード６の牽引操作を繰り返すことにより、所望の開き位置へ下降する。
【００３９】
一方のドラムユニット３０の近傍にはストッパ機構４２が設けられており、スクリーン昇降用の吊り紐１５は、吊り紐用ドラム１０ａとガイドローラ１８ａとの間でこのストッパ機構４２に緩みなく張設されている。
ストッパ機構４２は、ヘッドボックス２の内部長手方向にスライド可能に配設されたスライダ４３と、ヘッドボックス２側に回転可能に軸支される固定ガイドローラ４４とスライダ４３に回転可能に軸支される可動ガイドローラ４５と、スライダ４３を一方のドラムユニット３０方向へ弾発するリターンスプリング４６とを備えており、吊り紐１５は固定ガイドローラ４４と可動ガイドローラ４５とにＳ字状に巻回されている。
【００４０】
スライダ４３のドラムユニット３０側はくさび状に形成されており、その上面には、吊り紐用ドラム１０ａの鋸歯１０ｂと歯合する鋸歯４３ａが刻設されている。スライダ４３のドラムユニット３０と反対側にはロッド４３ｂが突設されており、該ロッド４３ｂをヘッドボックス２側の突片２ｂに挿通するとともに、ロッド４３ｂにリターンスプリング４６を外挿して、該リターンスプリング４６をスライダ４３と突片２ｂとの間に縮設している。
【００４１】
リターンスプリング４６の弾発力は、固定ガイドローラ４４と可動ガイドローラ４５とに巻回された吊り紐１５の張力よりも小さく設定されており、常時は図５に示すごとく、スライダー４３と吊り紐用ドラム１０ａとは離間している。
このように構成されるストッパ機構４２は、スクリーン３とボトムレール４とが最上位の全閉位置または最下位の全開位置にあるとき、スライダー４３と吊り紐用ドラム１０ａとの離間状態が維持されている。
【００４２】
そして、スクリーン３とボトムレール４とが最下限の全開位置にあって、さらに下降用操作コード６を牽引すると、吊り紐用ドラム１０ａは図５において反時計方向へ回転して吊り紐１５を繰り出そうとするが、スクリーン３とボトムレール４とは既に最下限にあってそれ以上の下降はないから、吊り紐１５はガイドローラ４４，４５の間で弛緩する。この結果、リターンスプリング４６の弾発力がスライダ４３に作用し、該スライダ４３を吊り紐用ドラム１０ａ方向へスライドさせ、鋸歯１０ｂ，４３ａが歯合して吊り紐用ドラム１０ａの回転を阻止する。
【００４３】
したがって、スクリーン３とボトムレール４がすでに最下限に位置していて、この状態から下降用操作コード６をさらに牽引することがあっても、吊り紐１５が吊り紐用ドラム１０ａから不要に繰り出されることはないので、吊り紐１５がいたずらに絡まることがなく、確実性の高い昇降操作を長期間安定して発揮することができる。
【図面の簡単な説明】
【００４４】
【図１】本発明の一形態例を示すプリーツスクリーンを若干開いた状態の斜視図である
【図２】本発明の一形態例を示すプリーツスクリーンの概略平面図である。
【図３】図２のＩＩＩ−ＩＩＩ，ＩＩＩ−ＩＩＩ部分の拡大平面図である。
【図４】図２のＩＩＩ−ＩＩＩ，ＩＩＩ−ＩＩＩ部分の拡大断面平面図である。
【図５】図３の断面正面図である。
【図６】図２のＶＩ−ＶＩ，ＶＩ−ＶＩ部分の拡大平面図である。
【図７】図６の断面正面図である。
【図８】図２のＶＩＩＩ−ＶＩＩＩ，ＶＩＩＩ−ＶＩＩＩ部分の拡大平面図である。
【図９】図８の断面正面図である。
【図１０】（ａ）はガイド溝とガイドピンの係合を示す概略図、（ｂ）はヘッドボックスの断面側面図である。
【図１１】（ａ）はガイド溝とガイドピンの係合を示す概略図、（ｂ）はヘッドボックスの断面側面図である。
【図１２】ストッパ機構周辺の斜視図である。
【符号の説明】
【００４５】
１…プリーツスクリーン（本発明の調光部材）
２…ヘッドボックス
３…スクリーン
４…ボトムレール
５…上昇用操作コード
６…下降操作コード
７…定荷重ばね機構
１０，１１…ばね巻き取り用ドラム
１０ａ…吊り紐用ドラム
１２…板ばね
１３…上昇コード用ドラム
１４…下降コード用ドラム
１５，１５ａ，１５ｂ…吊り紐
２５，２６…リターンスプリング（本発明の巻き戻し手段）
２１…第１巻き戻し紐
２２…第２巻き戻し紐
３０，３１…ドラムユニット
３３…ラチェット機構
３５ａ，３５ｂ…ラチェットホルダ
３４ａ，３４ｂ，３８ａ，３８ｂ…ラチェット
４０ａ，４０ｂ…ガイド溝
４１ａ，４１ｂ…ガイドピン
４２…ストッパ機構
４３…スライダ 
【図１】
2008013950.tif 000003
【図２】
2008013950.tif 000004
【図３】
2008013950.tif 000005
【図４】
2008013950.tif 000006
【図５】
2008013950.tif 000007
【図６】
2008013950.tif 000008
【図７】
2008013950.tif 000009
【図８】
2008013950.tif 000010
【図９】
2008013950.tif 000011
【図１０】
2008013950.tif 000012
【図１１】
2008013950.tif 000013
【図１２】
2008013950.tif 000014